(57)【特許請求の範囲】
【請求項１】
液晶表示素子からなる表示パネルと、この表示パネルを保持するホルダーと、このホルダーの背後側に配設され前記表示パネル側と電気的に接続される回路基板と、前記液晶表示パネル上に位置し、前記ホルダーに固定される導電性の枠状フレームと、この枠状フレームから一体に設けられ、前記回路基板に設けられたグランドパターンに接続される通電用腕片と、を備えた液晶表示ユニットと、この液晶表示ユニットを収納するアンダーカバーと、このアンダーカバーの前面側に配置され、前記枠状フレームを保持する枠状蓋体とからなる液晶表示装置において、前記枠状蓋体には、前記枠状フレームに突き当て配置される窓枠当接端部と、枠状蓋体の立ち下がり部箇所に設けられた弾性を有する係止片と、を備え、前記アンダーカバーの外周壁部には、前記枠状蓋体の前記係止片に係合保持するために設けられた凸状係合部を備え、前記アンダーカバーに対する前記枠状蓋体の固定時において、前記弾性を有する係止片が前記凸状係合部に係合した際に前記窓枠当接端部が力点として作用し前記係止片が作用点として前記アンダーカバーの外周壁部に対して圧接されることを特徴とする液晶表示装置。 
【請求項２】
前記枠状蓋体を導電性材料により形成してなることを特徴とする請求項１に記載の液晶表示装置。 
【請求項３】
前記枠状フレームと前記枠状蓋体とにそれぞれ異なる金属メッキで表面処理を施すとともに、前記枠状フレームと前記枠状蓋体との少なくとも一方に導電性の塗膜部を施してなることを特徴とする請求項１または請求項２に記載の液晶表示装置。
【発明の詳細な説明】
【技術分野】
【０００１】
本発明は、表示装置の実装構造に関し、特に液晶表示素子からなる表示パネルを用いた液晶表示装置の組み付け構造に関するものである。
【背景技術】
【０００２】
この種の液晶表示装置として、たとえば液晶表示素子による表示パネルからなる液晶表示装置の多くは、ライトボックスと称されるホルダー（ケース）を通じて液晶表示パネルが支持されるとともに、ホルダーの背後側に回路基板が配設されて支持され、回路基板に装着した光源（ＬＥＤ）にて表示パネルがバックライト照明される。また液晶表示素子からなる表示パネルと回路基板とは、表示パネルに設けられた電極端子と回路基板に設けられた回路パターンとが適宜接続部材にて導通接続され、回路基板を通じて表示パネルに駆動信号を供給し、表示パネルに所定の表示を行わせるように構成している（特許文献１参照）。
【０００３】
また、液晶表示装置は、低消費電力型という特徴の他に、液晶表示装置全体の小型化、薄型化を指向するうえで有効な表示要素であり、回路基板を含む液晶表示ユニットはホルダーの収納空間に有効に配設される必要がある。このため、回路基板の配設位置によっては、導電パターン部分が基板の端部にまで引き回し形成される場合が有り、こうした収納構造にあっては高絶縁物である合成樹脂製のホルダーに静電気が発生し、その帯電による電圧が高くなったときには、近接する導電部材、この場合にあっては、たとえば回路基板の導電パターン箇所などに放電現象が生じ、回路基板の導電パターンを通してかなりの高電圧が加わるため、電子部品であるＭＯＳ型ＩＣなどのゲートが破壊される現象が発生し、電気回路が不良状態に陥り、使用不可能となってしまうという問題が生じることがある。また、こうした現象が発生すると液晶表示パネルの表示の一部あるいは全部が消えてしまうことがあり、あるいは予期せぬ誤表示を生じてしまう虞があり、その表示情報を把握できずあるいは誤読を生じさせてしまうという問題がある。
【０００４】
さらに液晶表示素子による液晶表示パネルそのものも、静電気による電界によって液晶表示パネルのガラス基板の両側に電荷の移動を生じさせ、かつこの電荷が液晶表示パネルの透明電極や絶縁抵抗の少ない箇所に集まり、ガラス基板間の静電気が液晶励起に充分な大きさで安定してしまうため、液晶表示パネルが意味のない誤表示することもある。
【０００５】
また、このような静電気の問題点を考慮するものとして、たとえば特許文献２などに開示されているように、金属製の材料からなる枠状のフレームによって液晶表示パネルの前面側から被せ、金属製のフレームの所要箇所に複数設けられた略Ｌ字状の固定爪を回路基板の固定孔（爪孔）に差し込んでそれぞれ折り曲げることにより、液晶表示パネルに帯電した静電気を回路基板のグランドパターンに接地すると同時に液晶表示パネルの組付けを金属製のフレームによって固定保持するようにしているものが知られている（特許文献２参照）。
【先行技術文献】
【特許文献】
【０００６】
【特許文献１】特開２００６−２２１０１７号公報
【特許文献２】特開平５−１８８３８８号公報
【発明の概要】
【発明が解決しようとする課題】
【０００７】
ところで、ホルダーに支持された液晶表示パネルの少なくとも前面側を導電性である金属製のフレームによって覆うことにより静電気による駆動用ＩＣ（電子部品）の保護あるいは液晶表示パネルの誤表示などは解消される。また、前述の静電気対策に加え、液晶表示パネルおよび回路基板を含む液晶表示ユニットは、外部からの接触あるいはゴミなどの侵入を防ぐことをねらいとし、液晶表示パネルとその液晶表示パネルを保持するホルダーとホルダーの背後側に配置される回路基板とを椀状からなるアンダーカバーによって覆うとともに、そのアンダーカバーの前面側に金属製の材料からなる枠状蓋体を被せるようにしている。
【０００８】
このため、液晶表示ユニットをアンダーカバーに収納し液晶表示ユニットの前面側を枠状蓋体によって覆うことにより外部からの接触やゴミの侵入は防ぐことができるという反面、外部側から振動が加わると液晶表示ユニットの前面側を覆う枠状蓋体と液晶表示ユニットとの間において異音が発生したりあるいは枠状蓋体をアンダーカバーに組み付け固定する箇所において固定強度が充分保てなくなるという虞がある。
【０００９】
また、液晶表示ユニットをアンダーカバーに収納し液晶表示ユニットの前面側を枠状蓋体によって覆うことにより、外部側から静電気が放電してきたとしても、導電性の材料により枠状蓋体を形成することによって内部側に設けられた液晶表示ユニット（液晶表示パネル）へと伝わって帯電してしまうという現象を未然に防ぐことができるが、この際、異種金属の接触により腐食が発生することがあり、腐食すると静電気の逃げ道を封鎖し、静電気が帯電する虞がある。
【００１０】
本発明は前述した問題点に着目し、液晶表示パネルおよび回路基板を含む液晶表示ユニットを収納し固定保持するアンダーカバーとその前面側を覆う枠状蓋体との組み付け強度を充分保つことができる液晶表示装置を提供することを第１の目的とともに、液晶表示パネルの静電気対策を施すことのできる液晶表示装置を提供することを第２の目的とする。
【課題を解決するための手段】
【００１１】
本発明は、前記目的を達成するため、液晶表示素子からなる表示パネルと、この表示パネルを保持するホルダーと、このホルダーの背後側に配設され前記表示パネル側と電気的に接続される回路基板と、前記液晶表示パネル上に位置し、前記ホルダーに固定される導電性の枠状フレームと、この枠状フレームから一体に設けられ、前記回路基板に設けられたグランドパターンに接続される通電用腕片と、を備えた液晶表示ユニットと、この液晶表示ユニットを収納するアンダーカバーと、このアンダーカバーの前面側に配置され、前記枠状フレームを保持する枠状蓋体とからなる液晶表示装置において、前記枠状蓋体には、前記枠状フレームに突き当て配置される窓枠当接端部と、枠状蓋体の立ち下がり部箇所に設けられた弾性を有する係止片と、を備え、前記アンダーカバーの外周壁部には、前記枠状蓋体の前記係止片に係合保持するために設けられた凸状係合部を備え、前記アンダーカバーに対する前記枠状蓋体の固定時において、前記弾性を有する係止片が前記凸状係合部に係合した際に前記窓枠当接端部が力点として作用し前記係止片が作用点として前記アンダーカバーの外周壁部に対して圧接されることを特徴とする液晶表示装置である。
【００１２】
このように構成することにより、枠状フレームから一体に設けられた通電用腕片と回路基板に設けられたグランドパターンとの接触によって液晶表示素子からなる表示パネル側に静電気が帯電することを防ぐことができ、静電気の帯電による液晶パネルの表示欠落や誤表示の発生を未然に防ぐことができるものであり、また、液晶表示ユニットを収納するアンダーカバーとアンダーカバーの前面側を覆う枠状蓋体によって外部からの接触やゴミなどの侵入を防ぐことができ、加えて、液晶表示パネルおよび回路基板を含む液晶表示ユニットを収納し固定保持するアンダーカバーとその前面側を覆う枠状蓋体との組み付け時において、弾性を有する係止片が凸状係合部に係合した際に窓枠当接端部が力点として作用し係止片が作用点としてアンダーカバーの外周壁部に対して圧設することによって固定強度を充分保つことができ、振動などの影響も未然に防ぐことができる。
【００１３】
また請求項１に記載の液晶表示装置において、請求項２では、前記枠状蓋体を導電性材料により形成してなることを特徴とするものである。
【００１４】
このように構成することにより、液晶表示装置の取扱い時などにおいて外部側から静電気が放電してきたとしても、導電性の材料により枠状蓋体を形成することによって内部側に設けられた液晶表示ユニット（液晶表示パネル）へと伝わって帯電してしまうという現象を未然に防ぐことができ、事前に回路基板側へと放電することができる。
【００１５】
液晶表示素子からなる表示パネルと、この表示パネルを保持するホルダーと、このホルダーの背後側に配設され前記表示パネル側と電気的に接続される回路基板と、前記液晶表示パネル上に位置し、前記ホルダーに固定される導電性の枠状フレームと、この枠状フレームから一体に設けられ、前記回路基板に設けられたグランドパターンに接続される通電用腕片と、を備えた液晶表示ユニットと、この液晶表示ユニットを収納するアンダーカバーと、このアンダーカバーの前面側に配置され、前記枠状フレームを保持する枠状蓋体とからなる液晶表示装置において、前記枠状フレームと前記枠状蓋体とにそれぞれ異なる金属メッキで表面処理を施すとともに、前記枠状フレームと前記枠状蓋体との少なくとも一方に導電性の塗膜部を施してなることを特徴とする請求項１または請求項２に記載の液晶表示装置である。
【００１６】
このように構成することにより、窓枠当接端部で金属同士が接触しないよう塗膜部を介して接触させることで異種金属による酸化を抑え、金属防腐作用を持ち、長期的に帯電防止効果を維持することができる。
【発明の効果】
【００１７】
本発明では、液晶表示素子からなる表示パネルと、この表示パネルを保持するホルダーと、このホルダーの背後側に配設され前記表示パネル側と電気的に接続される回路基板と、前記液晶表示パネル上に位置し、前記ホルダーに固定される導電性の枠状フレームと、この枠状フレームから一体に設けられ、前記回路基板に設けられたグランドパターンに接続される通電用腕片と、を備えた液晶表示ユニットと、この液晶表示ユニットを収納するアンダーカバーと、このアンダーカバーの前面側に配置され、前記枠状フレームを保持する断面Ｌ字形状の枠状蓋体とからなる液晶表示装置において、前記枠状蓋体には、前記枠状フレームに突き当て配置される窓枠当接端部と、断面Ｌ字形状からなる枠状蓋体の立ち下がり部箇所に設けられた弾性を有する係止片と、を備え、前記アンダーカバーの外周壁部には、前記枠状蓋体の前記係止片に係合保持するために設けられた凸状係合部と、を備え、前記アンダーカバーに前記枠状蓋体の固定時において、前記弾性を有する係止片が前記凸状係合部に係合した際に前記窓枠当接端部が力点として作用し前記係止片が作用点として前記アンダーカバーの外周壁部に対して圧設されることを特徴とする液晶表示装置であるため、枠状フレームから一体に設けられた通電用腕片と回路基板に設けられたグランドパターンとの接触によって液晶表示素子からなる表示パネル側に静電気が帯電することを防ぐことができ、静電気の帯電による液晶パネルの表示欠落や誤表示の発生を未然に防ぐことができるものであり、また、液晶表示ユニットを収納するアンダーカバーとアンダーカバーの前面側を覆う枠状蓋体によって外部からの接触やゴミなどの侵入を防ぐことができ、加えて、液晶表示パネルおよび回路基板を含む液晶表示ユニットを収納し固定保持するアンダーカバーとその前面側を覆う枠状蓋体との組み付け時において、弾性を有する係止片が凸状係合部に係合した際に窓枠当接端部が力点として作用し係止片が作用点としてアンダーカバーの外周壁部に対して圧設することによって固定強度を充分保つことができ、振動などの影響も未然に防ぐことができるものである。また、枠状フレームと枠状蓋体との接触箇所において、少なくとも一方に導電性の塗膜部を施してなるため、異種金属接触腐食を防ぐことができ、長期的に帯電防止効果を維持することができるものであり、初期の目的を達成することができる。
【図面の簡単な説明】
【００１８】
【図１】図１は、本発明の第１の実施形態である液晶表示装置の液晶表示ユニットを示す分解斜視図である。
【図２】図２は、図１の液晶表示ユニットとアンダーカバーおよび枠状蓋体の組み付け前の状態を示す液晶表示装置の分解斜視図である。
【図３】図３は、図２の組み付け状態を示す液晶表示装置のＡ−Ａ線要部断面図である。
【図４】図４は、図２の組み付け状態を示す液晶表示装置のＢ−Ｂ線要部断面図である。
【図５】図５は、図２の組み付け状態を示す液晶表示装置のＣ−Ｃ線要部断面図である。
【図６】図６は、本発明の第２の実施形態である液晶表示装置の液晶表示ユニットを示す分解斜視図である。
【図７】図７は、図６の液晶表示ユニットとアンダーカバーおよび枠状蓋体の組み付け前の状態を示す液晶表示装置の分解斜視図である。
【図８】図８は、図７の組み付け状態を示す液晶表示装置のＡ−Ａ線要部断面図である。
【図９】図９は、図７の組み付け状態を示す液晶表示装置のＢ−Ｂ線要部断面図である。
【発明を実施するための形態】
【００１９】
以下、本発明を適用した液晶表示装置の第１の実施形態を図１から図５に基づいて説明する。
【００２０】
同図において、本実施形態による液晶表示装置としては、透過型の液晶表示素子からなる矩形状の表示パネル１と、この表示パネル１の裏面側に配置され光透過性を有する着色フィルムシート板や拡散シート板などからなる背面シート板２と、表示パネル１および背面シート板２を支持する合成樹脂材料からなるホルダー３と、表示パネル１の背後に配置され表示パネル１を駆動する駆動回路を設けた硬質の回路基板４と、この回路基板４上に実装され液晶表示素子からなる表示パネル１を背後から照明する発光ダイオードによる光源５と、ホルダー３の前面側にて表示パネル１とともにホルダー３の周縁を覆う枠状の縁部を有する金属製の導電性材料からなる枠状フレーム６と、ホルダー３に保持され表示パネル１に設けられた電極部と回路基板４の導電パターンとの間を電気的に接続する導電ゴムなどの通電部材７とによって液晶表示ユニットＤを構成している。
【００２１】
また、液晶表示ユニットＤは、外部からの接触あるいはゴミなどの侵入を防ぐために液晶表示ユニットＤを構成する表示パネル１とその表示パネル１を保持するホルダー３とホルダー３の背後側に配置される回路基板４などを椀状からなるアンダーカバー８によって覆うとともに、そのアンダーカバー８の前面側に金属製の導電性材料からなる枠状蓋体９を被せるように設けている。
【００２２】
ホルダー３は白色の合成樹脂からなり、底壁３０と、その底壁３０から連続して設けられる側周壁３１と、側周壁３１の上端側周縁部の内面側に表示パネル１および拡散シート板２が載置される段差受部３２が設けられている。
【００２３】
またホルダー３の底部には、底壁３０の中央部に開口する開口部３３が設けられ、この開口部３３位置に対応して回路基板４上に設けられた光源５であるＬＥＤが配置されている。
【００２４】
ホルダー３の背面側には、回路基板４側との組み付け時における位置合わせとなるピン状のガイド部材３４が一体に突き出し形成されるとともに、アンダーカバー８側と固定用部材となるビスＢを介して廻し締め固定保持するための固定用突部３５が突出形成されている。
【００２５】
またホルダー３の段差受部３２から奥まった位置において、たとえば回路基板４上に実装された白色で発光する発光ダイオードからなる光源５が点灯すると、光源５側からの照射光がホルダー３内へと導かれて発光し、これらの光が拡散シート板２で拡散されて、たとえば表示部（図示せず）を除いた表示パネル１をほぼ均一に照明するようになっている。なお、満足する照明が得られないようであれば、拡散シート板２の背後、すなわち拡散シーと板２と光源５との間に導光板（図示せず）を配設するようにしても良い。
【００２６】
回路基板４は、たとえばガラスエポキシ系材料からなる硬質の基板で形成されており、液晶表示素子からなる表示パネル１を駆動するための駆動回路（図示しない）が設けられ、その一部に表示パネル１の電極部となる電極端子部１０と等しい間隔で導電パターンからなる通電端子部４０が形成され、導電ゴムなどの通電部材７によって表示パネル１側と電気的に引き回し接続されている。また回路基板４の表面側には、表示パネル１と背面シート板２とを透過照明するためのＬＥＤからなる光源５が実装されるとともに、回路基板４の背面側には静電気を放電するためのアース用としての導電路からなるグランドパターン４１が形成されている。
【００２７】
また回路基板４には、表示パネル１をセットしたホルダー３に対して組み付け易くするために、ホルダー３側に設けたピン状のガイド部材３４と対向する箇所に位置合わせのための位置決め孔４２が設けられるとともに、ホルダー３の固定用突部３５位置に合わせて固定孔４３が設けられている。
【００２８】
また回路基板４の裏面側には、外部へと電気的に引き回し形成するための外部接続用コネクタ４４が設けられている。
【００２９】
導電ゴムなどからなる通電部材７は、長手方向に沿って絶縁層と導電層とが交互に表示パネ６１ル１の電極端子部１０および回路基板４の通電端子部４０と等しい間隔で積層される積層構造となっており、表示パネル１の電極端子部１０と回路基板４の通電端子部４０との間に介在し、電極端子部１０と通電端子部４０との間にて密着することで導通を図る弾性接続部材である。
【００３０】
枠状フレーム６は金属製の導電性材料により形成され、表示パネル１の外周側の前面側およびホルダー３の周縁を覆うように枠状の縁部を有するように設けられている。
【００３１】
また導電性の枠状フレーム６には、回路基板４に設けられた導電路からなるグランドパターン４１に接続される通電用腕片６０が枠状フレーム６の側壁面から一体に奥行き方向に向けて突き出し形成され、その通電用腕片６０の先端側には、両端側に切れ込みを設けて折り曲げやすくした折り曲げ部６１が設けられるとともに、回路基板４のグランドパターン４１と電気的に接続するための開口孔６２が設けられ、この開口孔６２を介してたとえば固定用部材であるネジＳによって回路基板４のグランドパターン４１に設けた通電用固定孔４１ａに挿通しつつホルダー３側に螺着固定することにより通電を果たすように構成している。
【００３２】
アンダーカバー８は合成樹脂からなり、上面側が開放した箱形形状に形成され、液晶表示ユニットＤを構成する表示パネル１とその表示パネル１を保持するホルダー３とホルダー３の背後側に配置される回路基板４などを保護するため周囲を覆うように形成されている。
【００３３】
またアンダーカバー８は、ホルダー３や回路基板４の裏面側から覆うように設けられているが、この実施形態にあっては、ホルダー３に設けられた固定用突部３５に対向する位置に固定孔８０が設けられ、固定部材であるビスＢを介して廻し締め固定することによりアンダーカバー８内に液晶表示ユニットＤを収納固定することができるように構成している。この際、アンダーカバー８にはホルダー３に設けたピン状のガイド部材３４を位置決めするための筒部８１が設けられている。
【００３４】
またアンダーカバー８の外周壁部８２には、枠状蓋体９側と脱着可能とする凸状係合部８３が一体に突設されている。
【００３５】
またアンダーカバー８の前面側に配置される枠状蓋体９は、導電性の材料により形成されるとともに、その枠状蓋体９には、液晶表示ユニットＤを構成する枠状フレーム６に突き当て配置される窓枠当接端部９０と、断面Ｌ字形状からなる枠状蓋体９０の立ち下がり部箇所となる外側周壁９１に設けられた弾性を有するフック部となる係止片９２と、を備えている。この場合、弾性を有する係止片９２はアンダーカバー８の外周壁部８２に設けられた凸状係合部８３と一致するように係脱可能に設けられている。
【００３６】
このように構成された第１の実施形態による液晶表示装置にあっては、ホルダー３の背後側に回路基板４を配置するとともに、ホルダー３を基準として前面側にて背面シート板２と表示パネル１とを順次セットし、次いでホルダー３の前面側に導電性の枠状フレーム６を配置した後、枠状フレーム６に設けた通電用腕片６０の先端側の折り曲げ部６１を折り曲げ形成し、通電用腕片６０の先端側に設けられた開口孔６２を介して固定部材であるネジＳによって回路基板４のグランドパターン４１に設けられた通電用固定孔４１ａを挿通してホルダー３側に螺着することにより電気的な通電を果たすことができ、これにより通電用腕片６０と回路基板４に設けられたグランドパターン４１との設置によって液晶表示素子からなる表示パネル１側に静電気が帯電することを予防することができ、静電気の帯電による表示欠落や誤表示の発生を未然に防ぐことができる。
【００３７】
また通電用腕片６０と回路基板４に設けられたグランドパターン４１との接地によって静電気の帯電現象をグランドパターン４１へと放電することができるため、回路基板４上に実装される電子部品（図示せず）の破壊をも未然に防ぐことができる。
【００３８】
また、液晶表示ユニットＤを収納するアンダーカバー８とアンダーカバー８の前面側を覆う枠状蓋体９によって外部からの接触やゴミなどの侵入を防ぐことができ、加えて、表示パネル１および回路基板４を含む液晶表示ユニットＤを収納し固定保持するアンダーカバー８とその前面側を覆う枠状蓋体９との組み付け時において、弾性を有する係止片９２が凸状係合部８１に係合した際に窓枠当接端部９０が力点として作用し係止片９２が作用点としてアンダーカバー８の外周壁部８２に対して圧設することによって固定強度を充分保つことができ、振動などの影響も未然に防ぐことができる。（図４などを参照）
【００３９】
なお、枠状蓋体９を導電性材料により形成してなることにより、液晶表示装置の取扱い時などにおいて外部側から静電気が放電してきたとしても、導電性の材料により枠状蓋体９を形成することによって内部側に設けられた液晶表示ユニットＤ（液晶表示パネル１）へと伝わって帯電してしまうという現象を枠状蓋体９から導電性の枠状フレーム６側へと帯電した静電気を逃がすことによって帯電による不具合を未然に防ぐことができ、事前に回路基板４側へと放電することができる。
【００４０】
図６から図９は、本発明の第２の実施形態を示すもので、前述した第１の実施形態と同一もしくは相当箇所については同一符号を付し、その詳細な説明は省略する。
【００４１】
同図において、本実施形態による液晶表示装置としては、前述した第１の実施形態と同様にして、透過型の液晶表示素子からなる矩形状の表示パネル１と、この表示パネル１の裏面側に配置され光透過性を有する着色フィルムシート板や拡散シート板などからなる背面シート板２と、表示パネル１および背面シート板２を支持する合成樹脂材料からなるホルダー３と、表示パネル１の背後に配置され表示パネル１を駆動する駆動回路を設けた硬質の回路基板４と、この回路基板４上に実装され液晶表示素子からなる表示パネル１を背後から照明する発光ダイオードによる光源５と、ホルダー３の前面側にて表示パネル１とともにホルダー３の周縁を覆う枠状の縁部を有する金属製の導電性材料からなる枠状フレーム６と、ホルダー３に保持され表示パネル１に設けられた電極部と回路基板４の導電パターンとの間を電気的に接続する導電ゴムなどの通電部材７とによって液晶表示ユニットＤを構成している。
【００４２】
また、液晶表示ユニットＤは、外部からの接触あるいはゴミなどの侵入を防ぐために液晶表示ユニットＤを構成する表示パネル１とその表示パネル１を保持するホルダー３とホルダー３の背後側に配置される回路基板４などを椀状からなるアンダーカバー８によって覆うとともに、そのアンダーカバー８の前面側に金属製の導電性材料からなる枠状蓋体９を被せるように設けている。
【００４３】
ここでは、枠状フレーム６は金属製の導電性材料、例えば鋼板の表面に錫メッキ処理を施した錫メッキ鋼板により形成され、表示パネル１の外周側の前面側およびホルダー３の周縁を覆うように枠状の縁部を有するように設けられている。
【００４４】
また導電性の枠状フレーム６には、回路基板４に設けられた導電路からなるグランドパターン４１に接続される通電用腕片６０が枠状フレーム６の側壁面から一体に奥行き方向に向けて突き出し形成され、その通電用腕片６０の先端側には、両端側に切れ込みを設けて折り曲げやすくした折り曲げ部６１が設けられるとともに、回路基板４のグランドパターン４１と電気的に接続するための開口孔６２が設けられ、この開口孔６２を介してたとえば固定用部材であるネジＳによって回路基板４のグランドパターン４１に設けた通電用固定孔４１ａに挿通しつつホルダー３側に螺着固定することにより通電を果たすように構成している。この際、錫メッキ鋼板からなる枠状フレーム６に設けられた通電用腕片６０によって回路基板４上に設けられたグランドパターン４０上の半田面との接触時における通電性が良好に保たれる。
【００４５】
またアンダーカバー８の前面側に配置される枠状蓋体９は、導電性の材料、例えば錫メッキ鋼板より安価な鋼板の表面に亜鉛メッキを施した亜鉛メッキ鋼板により形成され、その枠状蓋体９には、液晶表示ユニットＤを構成する枠状フレーム６に突き当て配置される窓枠当接端部９０と、断面Ｌ字形状からなる枠状蓋体９０の立ち下がり部箇所となる外側周壁９１に設けられた弾性を有するフック部となる係止片９２と、を備えている。この場合、弾性を有する係止片９２はアンダーカバー８の外周壁部８２に設けられた凸状係合部８３と一致するように係脱可能に設けられている。
【００４６】
また錫メッキ処理を施した錫メッキ鋼板からなる導電性の枠状フレーム６の表面側には、例えばカーボンブラックが含有されたインクからなる導電性の塗膜部Ｆが施されている。
【００４７】
このように構成された第２の実施形態による液晶表示装置にあっては、前述した第１の実施形態とほぼ同様の効果を有するとともに、枠状蓋体９の窓枠当接端部９０箇所と接触する枠状フレーム６の表面部分に導電性の塗膜部Ｆを施すことにより、枠状蓋体９と枠状フレーム６との接触箇所において、金属同士が接触しないよう塗膜部Ｆを介して接触させることで異種金属による酸化を抑え、金属防腐作用を持ち、長期的に帯電防止効果を維持することができる。
【００４８】
なお、前述した実施形態にあっては、液晶表示ユニットＤを覆うアンダーカバー８と枠状蓋体９との組み付け手段として、枠状蓋体９の肉厚寸法（板厚寸法）を適宜設定することにより硬さを調整することも可能であり、また枠状蓋体９の金属の材料を選択することによっても柔軟度合いを任意に設定することも可能である。また実施形態にあっては、ネジＳによって通電用腕片６０と回路基板４のグランドパターン４１とを電気的に接続するように形成していたが、通電用腕片６０の先端側を弾性を有する通電用接触片として形成し、グランドパターン４１側との間において電気的に接続するようにしても良いものである。また、第２の実施形態にあっては導電性の塗膜部Ｆとしてカーボンブラックを含有するインクを用いていたが、導電性を有するものであるならば、他の材料からなる導電性インクを採用しても同様の効果を得ることがでる。
【符号の説明】
【００４９】
１    表示パネル
２    背面シート板
３    ホルダー
４    回路基板
５    光源（発光ダイオード）
６    枠状フレーム
７    通電部材
８    アンダーカバー
９    枠状蓋体
１０    電極端子部
３０    底壁
３１    側周壁
３２    段差受部
３３    開口部
３４    ガイド部材
３５    固定用突部
３６    ガイド枠部
４０    通電端子部
４１    グランドパターン
４１ａ    通電用固定孔
４２    位置決め孔
４３    固定孔
４４    外部接続用コネクタ
６０    通電用腕片
６１    折り曲げ部
６２    開口孔
８０    固定孔
８１    筒部
８２    外周壁部
８３    凸状係合部  
９０    窓枠当接端部
９１    外側周壁
９２    係止片
Ｂ    ビス
Ｄ    液晶表示ユニット
Ｆ    塗膜部
Ｓ    ネジ
【図１】
0005418984.tif 000002
【図２】
0005418984.tif 000003
【図３】
0005418984.tif 000004
【図４】
0005418984.tif 000005
【図５】
0005418984.tif 000006
【図６】
0005418984.tif 000007
【図７】
0005418984.tif 000008
【図８】
0005418984.tif 000009
【図９】
0005418984.tif 000010